(57)【特許請求の範囲】
【請求項１】
演出実行領域を有し、所定の演出領域に配置され、第１位置と当該第１位置よりも上方に設定された第２位置との間で移動可能な可動式の演出装置と、
前記演出領域に連通する開口を取り囲むように遊技盤の前面に配置されて、前記演出領域と前記遊技盤に形成された遊技領域とを仕切る枠部材と、
前記演出領域の前方に配置され、遊技玉が転動可能なステージと、
前記ステージの後ろ側を塞ぐように前記枠部材に取り付けられ、前記遊技領域から前記演出領域への遊技玉の進入を防止する進入防止部材とを含み、
前記進入防止部材は、前記演出装置が前記第１位置に位置する場合および前記第２位置に位置する場合の双方において、正面視で、前記進入防止部材の上辺が前記演出実行領域に重ならないように設けられており、
前記演出装置が前記第１位置に位置する場合には前記演出実行領域の全域が前記進入防止部材の後方に位置し、かつ前記演出装置が前記第２位置に位置する場合には前記演出実行領域の全域が前記進入防止部材よりも上方に位置する、弾球遊技機。
【発明の詳細な説明】
【技術分野】
【０００１】
本発明は、遊技盤の前面の演出領域に、可動式の演出装置を有する弾球遊技機に関する。
【背景技術】
【０００２】
下記特許文献１には、遊技盤の前面の略中央に、可動式の液晶表示装置が配置された弾球遊技機が記載されている（たとえば特許文献１）。特許文献１では、可動式の液晶表示装置（第２画像表示手段）が、第１画像表示手段の前方の演出位置と、この演出位置から側方に退避した待機位置との間で移動可能に設けられている。
【０００３】
また、下記特許文献２には、遊技領域から演出領域への遊技玉の飛び込みを防止するためのカバー部材を備えたパチンコ機が記載されている。
【先行技術文献】
【特許文献】
【０００４】
【特許文献１】特開２０１３−１７６６８号公報
【特許文献２】特願２０１１−９２６３９号公報
【発明の概要】
【発明が解決しようとする課題】
【０００５】
本願発明者は、上下移動する可動式の演出装置（液晶表示装置）を採用するとともに、その演出装置の演出実行領域の前方を進入防止部材で覆うことを検討している。この場合、可動式の演出装置が収納位置（下位置）にある状態で、進入防止部材の上辺が演出装置の演出実行領域に掛かっていると、進入防止部材の上辺によって演出実行領域が遮られてしまい、その結果、遊技者による演出実行領域の視認の邪魔になるおそれがある。
【０００６】
そこで、本発明の目的は、遊技領域から演出領域への遊技玉の進入を防止する進入防止部材を設けつつ、当該進入防止部材による、演出装置の演出の阻害を防止できる弾球遊技機を提供することである。
【課題を解決するための手段】
【０００７】
前記の目的を達成するための請求項１に記載の発明は、演出実行領域（５４）を有し、所定の演出領域（Ｐ）に配置され、第１位置と当該第１位置よりも上方に設定された第２位置との間で移動可能な可動式の演出装置（１８）と、前記演出領域に連通する開口（４１）を取り囲むように遊技盤（５）の前面に配置されて、前記演出領域と前記遊技盤に形成された遊技領域（Ｓ）とを仕切る枠部材（４２）と、前記演出領域の前方に配置され、遊技玉が転動可能なステージ（４７）と、前記ステージの後ろ側を塞ぐように前記枠部材に取り付けられ、前記遊技領域から前記演出領域への遊技玉の進入を防止する進入防止部材（４３）とを含み、前記進入防止部材は、前記演出装置が前記第１位置に位置する場合および前記第２位置に位置する場合の双方において、正面視で、前記進入防止部材の上辺（８２Ａ）が前記演出実行領域に重ならないように設けられており、前記演出装置が前記第１位置に位置する場合には前記演出実行領域の全域が前記進入防止部材の後方に位置し、かつ前記演出装置が前記第２位置に位置する場合には前記演出実行領域の全域が前記進入防止部材よりも上方に位置する、弾球遊技機（１）を提供する。
【発明の効果】
【００１６】
遊技領域から演出領域への遊技玉の進入を防止する進入防止部材を設けつつ、当該進入防止部材による、演出装置の演出の阻害を防止できる。
【図面の簡単な説明】
【００１７】
【図１Ａ】本発明の一実施形態に係る弾球遊技機の斜視図である。
【図１Ｂ】本発明の一実施形態に係る遊技盤の正面図である。
【図２】本発明の一実施形態に係る遊技盤の斜視図である（その１）。
【図３】本発明の一実施形態に係る遊技盤の斜視図である（その２）。
【図４】サブ液晶表示装置および昇降ユニットを前側から見た斜視図である（その１）。
【図５】サブ液晶表示装置および昇降ユニットを後ろ側から見た斜視図である（その１）。
【図６】サブ液晶表示装置および昇降ユニットを前側から見た斜視図である（その２）。
【図７】サブ液晶表示装置および昇降ユニットを後ろ側から見た斜視図である（その２）。
【図８】進入防止部材、ワープ通路役物およびステージの構成を示す斜視図である。
【図９】サブ液晶表示装置が収納位置に位置する状態における、センターユニットの正面図である。
【図１０】サブ液晶表示装置が収納位置に位置する状態における、サブ液晶表示装置と進入防止部材との位置関係を説明するための側面図である。
【図１１】サブ液晶表示装置が演出位置に位置する状態における、センターユニットの正面図である。
【図１２】サブ液晶表示装置が演出位置に位置する状態における、サブ液晶表示装置と進入防止部材との位置関係を説明するための側面図である。
【発明を実施するための形態】
【００１８】
以下では、この発明の実施の形態を、添付図面を参照して詳細に説明する。
【００１９】
図１Ａは、本発明の一実施形態に係る弾球遊技機１の斜視図である。この弾球遊技機１は、遊技店内に配列された遊技島への取付け（設置）のための略四角枠状の外枠２と、この外枠２に対し片開き可能に取り付けられた前枠３とを備えている。外枠２の左右一方、たとえば左側のヒンジ４によって、前枠３はヒンジ４の回動軸まわりに回動可能に保持されている。
【００２０】
前枠３の上部分には、遊技盤５（図１Ａ参照）が収容保持されている。前枠３の下部分には、発射装置（図示しない）が収容保持されている。前枠３の手前側には、前扉６が開閉可能に設けられている。また、前枠３の手前側には、前扉６の下方に、下部開閉板７が開閉可能に設けられている。前扉６には、遊技盤５に対向する位置に略円形の開口部８が形成されている。この開口部８には、ガラス板などの透明板９が嵌められていて、前扉６を閉じた状態で、その透明板９を介して、透明板９の奥側の遊技盤５を視認することができるようになっている。前扉６の上部には、左右一対のスピーカ９０が配置されている。また、前扉６の下部には、左右一対のランプユニット９１が配置されている。
【００２１】
下部開閉板７には、遊技に使用する遊技玉（パチンコ玉）を貯留しておくための上皿１０と、上皿１０からオーバーフロー路（図示しない）を通して溢れた遊技玉を受け止める下皿１２とが上下に並んで設けられている。また、下皿１２の右側には、遊技玉を遊技盤５に打ち出す際に操作されるハンドル１３が配置されている。遊技者が、ハンドル１３を把持して回転操作することにより、発射装置から遊技盤５に向けて遊技玉を発射することができ、また、ハンドル１３の回転角度を調整することにより、遊技盤５の前面に向けて発射される遊技玉の勢いを調節することができる。なお、遊技玉として、所定の直径（たとえば１１．０ｍｍ）を有する鋼球が用いられる。
【００２２】
図１Ｂは、遊技盤５の正面図である。遊技盤５の前面には、中央部に略円形の遊技領域Ｓが設定されている。遊技領域Ｓの周縁には、発射装置から発射された遊技玉を、遊技盤５の上部（左側上部）に導くための略円弧状のガイドレール１４と、このガイドレール１４に対向して延びる内レール１５とが配置されている。内レール１５の先端は遊技領域Ｓの上部まで延びていて、発射装置により発射された遊技玉は、ガイドレール１４と内レール１５との間を通って遊技領域Ｓの上部へと導かれる。遊技領域Ｓには、多数本の障害釘１６が植設されている。
【００２３】
遊技盤５の中央部には、メイン液晶表示装置１７やサブ液晶表示装置１８を含むセンターユニット１９が取り付けられている。
【００２４】
遊技領域Ｓの下部には、第１特別図柄始動口２０、第２特別図柄始動口２１および電動チューリップ役物２２をユニット化して構成される始動入賞口ユニット２３が配置されている。第１特別図柄始動口２０および第２特別図柄始動口２１が上下に並置されている。電動チューリップ役物２２は、第２特別図柄始動口２１を開閉する一対の可動羽根２３Ａを含み、各可動羽根２３Ａの先端部が互いに接近する状態に窄められた姿勢（以下「狭窄姿勢」という）と、一対の可動羽根２３Ａが互いに離間するように拡開された姿勢（以下「拡開姿勢」という）との間で姿勢変形可能に設けられている。第１または第２特別図柄始動口２０，２１に遊技玉が入ると、予め定める個数（第１特別図柄始動口２０への遊技玉入玉に対してはたとえば５玉、または第２特別図柄始動口２１への遊技玉入玉に対してはたとえば３玉の賞玉が、賞玉払出装置（図示しない）から払い出される。また、第１または第２特別図柄始動口２０，２１への遊技玉の入玉に伴って、特別利益状態を実行するか否かを決定するための大当たり判定が実行される。
【００２５】
始動入賞口ユニット２３の下方には、たとえば、左右に長い平面視長方形状をなす第１可変入賞口２４を有する第１可変入賞口ユニット２５が配置されている。第１可変入賞口２４は、左右方向に関して、複数個（たとえば３〜４個）の遊技玉が同時に入玉可能なサイズに形成されている。第１可変入賞口２４は、横長の矩形板状の第１可変入賞役物２６によって開閉される。第１可変入賞口２４に遊技玉が入玉すると、予め定める個数（たとえば１０玉）の賞玉が、賞玉払出装置から払い出される。
【００２６】
遊技領域Ｓの右下部（始動入賞口ユニット２３の右方）には、左右に長い平面視長方形状をなす第２可変入賞口２７を有する第２可変入賞口ユニット２８が配置されている。第２可変入賞口２７は、左右方向に関して、複数個（たとえば２〜３個）の遊技玉が同時に入玉可能なサイズに形成されている。第２可変入賞口２７は、横長の矩形板状の第２可変入賞役物２９によって開閉される。第２可変入賞口２７に遊技玉が入玉すると、予め定める個数（たとえば１０玉）の賞玉が、賞玉払出装置から払い出される。
【００２７】
また、遊技盤５の右下部（第２可変入賞口２７の右上方）には、遊技盤５の前面に沿って流下する遊技玉が通過可能な普通図柄ゲート３０を有するゲートユニット３９が配置されている。普通図柄ゲート３０を遊技玉が通過すると、一対の可動羽根２３Ａを拡開姿勢にするか否かを決定するための普通図柄抽選が実行される。
【００２８】
また、遊技領域Ｓの左下部には、第１普通入賞口３１および第２普通入賞口３２をユニット化して構成されるサイドランプユニット３４が配置されている。各普通入賞口３１，３２に遊技玉が入賞すると、予め定める個数（たとえば３玉）の賞玉が、賞玉払出装置から払い出される。
【００２９】
遊技者のハンドル操作により、発射装置（図示しない）から適度の勢いで発射された遊技玉は、遊技領域Ｓの左上部分から右斜め上方に向けて（ガイドレール１４および内レール１５に沿って）放たれる。遊技領域Ｓの左上部分から放たれた遊技玉は、遊技領域Ｓの左半分（左部分および左下部分）の障害釘１６の間を流下する。
【００３０】
また、弾球遊技機１では、いわゆる右打ち遊技（遊技領域Ｓの右半分に向けて遊技玉を発射させる遊技）を行うことができるようになっている。具体的には、ハンドルの回転角度を最大角度とすると、非常に強い勢いで遊技玉が発射される。そして、遊技領域Ｓの左上部分から右斜め上方に向けて（ガイドレール１４および内レール１５に沿って）、遊技玉が勢い良く放たれる。遊技領域Ｓの左上部分から放たれた遊技玉は、遊技領域Ｓの上部で、ガイドレール１４とセンターユニット１９の周縁とによって区画される通路を通って、遊技領域Ｓの右部分へと達し、その右部分において下方に向けて放たれ、遊技領域Ｓの右部分の障害釘１６の間を流下する。この場合、遊技領域Ｓの右部分を流下する遊技玉は、第２特別図柄始動口２１、または、第１もしくは第２可変入賞口２４、２７に入玉可能である。 また、 この遊技玉は、普通図柄ゲート３０を通過可能である。
【００３１】
遊技領域Ｓを流下する遊技玉のうち、第１もしくは第２特別図柄始動口２０，２１、第１もしくは第２可変入賞口２４，２７および第１〜第２普通入賞口３１〜３２ のいずれ にも入玉しなかった遊技玉（アウト玉）は、遊技領域Ｓの下部に形成されたアウト口３８から機内に入り、玉回収部（図示しない）に回収される。
【００３２】
遊技盤５の前面におけるガイドレール１４の外側領域の右上隅部には、第１特別図柄表示手段３５、第２特別図柄表示手段３６および普通図柄表示手段３７が配置されている。
【００３３】
第１特別図柄表示手段３５は、第１特別図柄始動口２０に遊技玉が入玉することを条件に、第１特別図柄を所定時間変動表示して、第１特別図柄始動口２０への入玉時に取得された大当たり判定乱数値が予め定められた大当たり判定値と一致する場合には所定の大当たり態様で、それ以外の場合にははずれ態様で停止する。
【００３４】
第２特別図柄表示手段３６は、第２特別図柄始動口２１に遊技玉が入玉することを条件に、第２特別図柄を所定時間変動表示して、第２特別図柄始動口２１への入玉時に取得された大当たり判定乱数値が予め定められた大当たり判定値と一致する場合には所定の大当たり態様で、それ以外の場合にははずれ態様で停止する。
【００３５】
普通図柄表示手段３７は、普通図柄ゲート３０に遊技玉が通過することを条件に普通図柄を所定時間変動表示して、普通図柄ゲート３０に対する遊技玉の通過時に取得された当り判定乱数値が予め定められた当り判定値と一致する場合には所定の当り態様で、一致しない場合には所定のはずれ態様で停止させるようになっている。
【００３６】
図２および図３は、本発明の一実施形態に係る遊技盤５の斜視図である。図２および図３は、センターユニット１９の構成を説明するためのものである。そのため、図２および図３では、レール１４，１５、図柄表示手段３５，３６，３７、始動入賞口ユニット２３，第１可変入賞口ユニット２５、第２可変入賞口ユニット２８、ゲートユニット３９およびサイドランプユニット３４を遊技盤５から取り外した状態を示している。図２には、サブ液晶表示装置１８が次に述べる収納位置（第１位置）にある状態を示し、図３には、サブ液晶表示装置１８が次に述べる演出位置（第２位置）にある状態を示す。
【００３７】
センターユニット１９は、固定的に設けられたメイン液晶表示装置１７と、可動式の小型のサブ液晶表示装置１８と、サブ液晶表示装置１８を収納位置と演出位置との間で昇降（移動）させるための昇降ユニット４０（図５参照）と、開口４１を有し、メイン液晶表示装置１７およびサブ液晶表示装置１８の外側を取り囲む枠部材４２と、枠部材４２に取り付けられて、枠部材４２の開口４１ におけるステージ４７の後ろ側の領域（すなわち開口４１の一部分）を覆う進入防止部材４３と、枠部材４２の後方領域を覆う裏箱１０４とを含む。裏箱１０４は後方に突出する容器状をなしており、裏箱１０４の後面１０５の中央部には、正面視矩形の中央開口１０３が形成されている。裏箱１０４は、遊技球を貯留する玉タンクユニット（図示しない）や、玉タンクユニットから送り出された遊技玉を上皿１０に払い出すための払出しユニット（図示しない）を含む。枠部材４２の開口４１と裏箱１０４の後面１０５との間には、メイン液晶表示装置１７やサブ液晶表示装置１８の収容空間である演出領域Ｐが設定されている。
【００３８】
メイン液晶表示装置１７は、正面視で、略矩形のメイン液晶表示領域４４を有している。メイン液晶表示装置１７は、略矩形のメイン液晶表示領域４４の略全域が中央開口１０３から前方に臨むように、裏箱１０４に後方から取り付けられている。裏箱１０４の前面には、中央開口１０３の周囲に枠状の飾り１０６が形成されている。メイン液晶表示装置１７の裏箱１０４への取付状態で、メイン液晶表示領域４４は鉛直姿勢をなしている。
【００３９】
弾球遊技機１では、大当たり判定の結果は、特別図柄表示手段３５，３６（図１Ｂ参照）だけでなく、メイン液晶表示領域４４にも表示される。すなわち、特別図柄表示手段３５，３６における特別図柄の図柄変動動作中は、メイン液晶表示領域４４において演出図柄の図柄変動動作が実行される。大当たり判定の結果が大当たりであるときは、演出図柄の図柄変動動作の終了後、大当たり用の演出図柄の組合せがメイン液晶表示領域４４に表示される。一方、大当たり判定の結果がはずれであるときは、演出図柄の図柄変動動作の終了後、はずれ用の演出図柄の組合せがメイン液晶表示領域４４に停止表示される。
【００４０】
メイン液晶表示領域４４において、演出図柄（図示しない。たとえば「０」〜「９」の数字）が所定の演出図柄変動パターンで変動する。まず、その３つの図柄表示位置４４Ｌ，４４Ｃ，４４Ｒ（図１Ｂ参照）に表示される演出図柄が高速で変動し、演出図柄の図柄変動動作の実行が開始される。そして、所定時間が経過すると、３つの図柄表示位置４４Ｌ，４４Ｃ，４４Ｒ（図１Ｂ参照）における図柄変動動作が予め定める順序で停止されていき、最終的に、各図柄表示位置４４Ｌ，４４Ｃ，４４Ｒ（図１Ｂ参照）に１つの演出図柄が停止した状態で表示されることにより、大当たり判定の結果を表す演出図柄の組合せがメイン液晶表示領域４４に表示される。
【００４１】
枠部材４２は、遊技盤５の前面において、遊技領域Ｓと開口４１の後方に設定される演出領域Ｐとを前後に仕切るものであり、枠フレーム１０１と、フレーム枠１０１の下辺部の前面に配置されて、上面４６を遊技玉が転動するステージ４７と、フレーム枠１０１の左辺部の前面に配置されて、遊技領域Ｓ（枠部材４２の外側）を流下する遊技玉を取り込んでステージ４７に案内するワープ通路４８が内部に形成されたワープ通路役物４８Ａと、フレーム枠１０１の前面やステージ４７およびワープ通路役物４８Ａの前面を覆う多数の飾り４５とを含む。
【００４２】
図４〜図７は、サブ液晶表示装置１８および昇降ユニット４０の斜視図である。図４および図５には、サブ液晶表示装置１８が収納位置に位置する状態を、図６および図７には、サブ液晶表示装置１８が演出位置に位置する状態をそれぞれ示す。図４および図６には、前側から見た斜視図を、図５および図７には後ろ側から見た斜視図をそれぞれ示す。
【００４３】
図２〜図７を参照して、サブ液晶表示装置１８について説明する。
【００４４】
サブ液晶表示装置１８は、前後方向に関しメイン液晶表示装置１７の前方に配置されている。サブ液晶表示装置１８は、全体として横長の略直方体形状をなしており、横長の正面視矩形状をなすサブ液晶表示領域（演出実行領域）５４を有している。サブ液晶表示装置１８のケーシング内には、サブ液晶表示領域５４の表示内容を制御するためのサブ液晶制御基板（図示しない）が収容配置されている 。 
【００４５】
サブ液晶表示領域５４は、長手方向および幅方向のそれぞれの寸法が、メイン液晶表示装置１７のメイン液晶表示領域４４よりも小さく設定されている（それぞれ約１／２）。サブ液晶表示装置１８は、収納位置（図２参照）と、収納位置よりも上方に設定された演出位置（図３参照）との間で昇降可能に設けられている。
【００４６】
図２、図４および図５に示すように、サブ液晶表示装置１８が収納位置に位置するときには、サブ液晶表示領域５４の全域がメイン液晶表示領域４４の前方領域から下方に向けて退避している。このとき、サブ液晶表示装置１８は傾斜姿勢に保持されており、サブ液晶表示領域５４は、鉛直面に対し、上方に向かうに従って後方に向かうようにやや傾斜している。
【００４７】
一方、図３、図６および図７に示すように、サブ液晶表示装置１８が演出位置に位置するときには、サブ液晶表示領域５４の全域が、メイン液晶表示領域４４の下部（より詳しくは、メイン液晶表示領域４４の上下方向の下部でかつ左右方向の中央部）の前方領域に位置している。このとき、サブ液晶表示領域５４は鉛直姿勢をなしている。
【００４８】
サブ液晶表示装置１８は、その上下方向の中央部の左右一対において、次に述べる昇降スライド部材５９によって支持されており、サブ液晶表示装置１８は、その上下方向の下端部の右端部において、次に述べるベース部材５８によって支持されている。サブ液晶表示装置１８のケーシングの後面の上下方向の中央部には、左右一対の第１突起５５（図７参照）が設けられている。サブ液晶表示装置１８のケーシングの下端部には、右端部（図７に示す左端部）には、第２突起５６（図７参照）が設けられている。第２突起５６には、挿通ピン５７が左右方向に延びる回動軸線（図示しない）まわりに回動可能に取り付けられている。
【００４９】
昇降ユニット４０は、サブ液晶表示装置１８と平行に配置された略板状のベース部材５８と、ベース部材５８に沿って昇降可能に設けられた略板状の昇降スライド部材５９（図７参照）と、サブ液晶表示装置１８の昇降動作をガイドする昇降ガイド部６０と、昇降モータ６１と、昇降モータ６１の回転駆動力を、昇降スライド部材５９を昇降させる力に変換して昇降スライド部材５９に伝達する伝達機構６２（図６参照）とを含む。
【００５０】
ベース部材５８は、演出領域Ｐ（図２等参照）において、メイン液晶表示領域４４よりも前方で、かつメイン液晶表示領域４４の下方において、鉛直姿勢をなして固定的に立設されている。ベース部材５８は、合成樹脂材料を用いて形成されている。
【００５１】
ベース部材５８は、左右方向に沿う鉛直面に沿う主板部６３と、主板部６３の左右方向の中央部から、後方に向けて断面コ字状に突出するコ字条部６４とを含み、一体的に設けられている。主板部６３の各周縁（４つの辺）には、後方に向けて延びる外リブ６５が形成されている。
【００５２】
ベース部材５８の左下部（図７で示す右側の下部）には、外リブ６５の上に昇降モータ６１が配置されている。昇降モータ６１はその出力軸７３が前後方向に延びた状態で配置されており、この状態で、当該出力軸７３がベース部材５８を貫いてベース部材５８よりも前方に突出している。
【００５３】
ベース部材５８には、昇降スライド部材５９の昇降をガイドするための昇降ガイド部６０が一体に設けられている。昇降ガイド部６０は、ベース部材５８の主板部６３に形成された、上下に直線状に延びる左右一対の第１ガイド溝６７と、ベース部材５８の右側縁（図７で示す左側の側縁）の外リブ６５に形成された第２ガイド溝６８とを有する。第２ガイド溝６８は、上下方向に延びる上下方向溝であるが、その中間部が、上方に向かうに従って後方に向かう緩やかなテーパ状に形成されている。第２ガイド溝６８には、挿通ピン５７が円筒ブッシュ（図示しない）を介して嵌挿されている。挿通ピン５７は、第２ガイド溝６８からの抜止めが達成されつつ、第２ガイド溝６８の延びる方向に沿ってスライド移動可能に、第２ガイド溝６８に嵌挿されている。
【００５４】
図７に示すように、昇降スライド部材５９は矩形板状をなしており、昇降スライド部材５９は、ベース部材５８の前面に当該前面に沿って昇降可能に取り付けられている。昇降スライド部材５９の後面の左右には、後方に向けて突出する一対の嵌挿ピン６９が設けられている。各嵌挿ピン６９は、対応する第１ガイド溝６７の延びる方向に沿ってスライド移動可能に、かつ当該第１ガイド溝６７からの抜止めが達成された状態で、対応する第１ガイド溝６７に嵌挿されている。
【００５５】
昇降スライド部材５９の上端には、左右に水平に延びる軸ピン７０が固定的に取り付けられている。軸ピン７０の両端には、ベアリング７１（図７では一方のみを図示）を介してサブ液晶表示装置１８の一対の第１突起５５が回動自在に取り付けられている。
【００５６】
昇降ユニット４０は、また、サブ液晶表示装置１８の下方部を覆うための下飾り７２を含む。下飾り７２は、横長の矩形をなし、昇降スライド部材５９に固定されている。
【００５７】
図６に示すように、伝達機構６２は、ベース部材５８の前面側において昇降モータ６１の出力軸７３に外嵌固定されたモータギヤ７４と、モータギヤ７４と噛み合うカムギヤ７５と、昇降スライド部材５９を昇降させるために回動可能に設けられた揺動アーム７６と、カムギヤ７５の外周部と揺動アーム７６の長手方向の途中部とを連結するカム連結杆７７とを含む。カムギヤ７５はベース部材５８の前面に軸支されている。揺動アーム７６の途中部はベース部材５８の前面に軸支されており、揺動アーム７６の一端７６Ａはコイルバネ１０２によって下方に向けて弾性的に押圧されている。揺動アーム７６の他端（図示しない）は、昇降スライド部材５９の前面に、回動可能に取り付けられている。
【００５８】
昇降モータ６１が回転駆動すると、出力軸７３の回転に伴うカムギヤ７５の回転に伴ってカム連結杆７７が姿勢変更する。カム連結杆７７の姿勢変更に伴い、揺動アーム７６の回動姿勢が変更される。その結果、揺動アーム７６の他端の高さ位置が変更されて、これに伴い、昇降スライド部材５９が昇降する。以下、具体的に説明する。
【００５９】
サブ液晶表示装置１８を収納位置から演出位置に上昇させる際には、昇降モータ６１の出力軸７３が所定の順方向に回転させられ、これに伴って、揺動アーム７６がコイルバネ１０２の弾性押圧力に抗って反時計回りに揺動し、揺動アーム７６の他端が上昇する。これにより、昇降スライド部材５９は、一対の嵌挿ピン６９と対応する第１ガイド溝６７によって左右方向の移動が規制されながら上昇する。また、上下方向の途中部がテーパ状の第２ガイド溝６８に、第２突起５６の挿通ピン５７が嵌挿しているため、昇降スライド部材５９の上昇に伴って、サブ液晶表示装置１８の下部が後方に向けて案内される。これにより、収納位置において傾斜姿勢をなしていたサブ液晶表示装置１８（サブ液晶表示領域５４）は、昇降スライド部材５９の上昇に伴って手前側に起き上がり、収納位置においては、鉛直姿勢をなすようになる。
【００６０】
一方、サブ液晶表示装置１８を演出位置から収納位置に下降させる際には、昇降モータ６１の出力軸７３が前記の順方向の反対方向に回転させられ、これに伴って、揺動アーム７６の他端が下降する。これにより、昇降スライド部材５９は、一対の嵌挿ピン６９と対応する第１ガイド溝６７によって左右方向の移動が規制されながら下降する。また、第２ガイド溝６８に第２突起５６の挿通ピン５７が嵌挿しているため、昇降スライド部材５９の下降に伴って、サブ液晶表示装置１８の下部が前方に向けて案内される。その結果、演出位置において鉛直姿勢をなしていたサブ液晶表示装置１８（サブ液晶表示領域５４）は、昇降スライド部材５９の下降に伴って、その上部が奥向きに傾倒し、収納位置においては前記の傾斜姿勢をなすようになる。
【００６１】
図８は、進入防止部材４３、ワープ通路役物４８Ａおよびステージ４７の構成を示す斜視図である。図８には、これらの部材４３，４８Ａ，４７がフレーム枠１０１（図２等参照）への取り付け状態における位置関係を示している。図（ａ）には、これらの部材４３，４８Ａ，４７を前側から見た図を示し、図（ｂ）には、これらの部材４３，４８Ａ，４７を後ろ側から見た図を示す。
【００６２】
ワープ通路役物４８Ａは、正面視で略Ｌ字状をなす筒状部材であり、その内部にワープ通路４８を区画している。ワープ通路４８は、遊技領域Ｓ（図１Ｂ参照）の左部において左向きに開口する玉取入口（図１Ｂも併せて参照）５１と、ステージ４７の上面４６の左端部上方で右下向きに開口する玉放出口５２とを連通し、鉛直下方に延び、その下端において右下方向に向けて湾曲している。
【００６３】
ステージ４７は左右に延びる長尺状をなすステージ上面４６を有している。ステージ上面４６は左右方向の中央部に略平坦な平坦部４９が設けられており、その平坦部が一番低い部分になっており、左右端部に向かうに従って上り傾斜が付されている。ステージ上面４６では、遊技玉が、遊技者に視認可能に転動する。平坦部４９の左右方向の中央位置には、前方に向かうに従って下方に向かう複数（たとえば２つ）のスロープ５０が左右に間隔を空けて形成されている。
【００６４】
遊技盤５（図１Ｂ参照）の前面を流下する遊技玉は、玉取入口５１からワープ通路４８に入り、ワープ通路４８を通って玉放出口５２からステージ４７の上面４６に放出され、平坦部４９において左右に転動する。また、ステージ４７の上面４６を左右に転動する遊技玉は、スロープ５０を通って前方に向けて案内され、その前端から、スロープ５０の下側の遊技領域Ｓに向けて落下する。
【００６５】
進入防止部材４３は、左右方向に長尺の主板部８０と、主板部８０の左端部から前方に突出する立板部８１とを有し、透明の樹脂材料を用いて一体的に形成されている。
【００６６】
主板部８０は、下方が窄んだ略台形状をなし、ステージ４７の後ろ側を覆う主部８２と、主部８２の左端から、上方に向けて立ち上がり、ワープ通路役物４８Ａの後ろ側を覆う左端部８３とを有する。主部８２の上辺８２Ａは、左端から右端に亘って直線状をなしている。主部８２の下部には、左端から右端に亘って、主部８２の下端辺に沿うようにステージ４７がネジ等を用いて取り付けられる。左端部８３の前面には、ワープ通路役物４８Ａがネジ等を用いて取り付けられる。
【００６７】
立板部８１は、主部８２の上辺８２Ａの左端部から前方に突出する水平姿勢の平板部８１Ａと、左端部８３の右側辺から前方に突出する鉛直姿勢の立板部８１Ｂとを有し、正面視で略Ｌ字状をなしている。平板部８１Ａの高さ位置は、主部８２の上辺８２Ａよりもやや下方である。
【００６８】
ワープ通路役物４８Ａを進入防止部材４３に取り付けた状態で、立板部８１は、ワープ通路役物４８Ａの右上に隣接して配置され、すなわち、玉放出口５２は、立板部８１の平板部８１Ａよりも下方に位置している。したがって、ワープ通路役物４８Ａを進入防止部材４３に取り付けた状態において、主部８２の上辺８２Ａは、ワープ通路４８の玉放出口５２よりも上方に位置している。
【００６９】
進入防止部材４３は、上辺８２Ａが左右方向にかつ水平方向に沿い、主板部８０が鉛直姿勢をなす状態で、ステージ４７の後ろ側を塞ぐように枠フレーム１０１（図２等参照）に取り付けられている。これにより、ステージ４７の上面４６を転動する遊技玉が演出領域Ｐに進入するのを防止できる。次に述べる図９や図１１に示すように、進入防止部材４３が枠フレーム１０１に取り付けられた状態で、進入防止部材４３の上辺８２Ａは、正面視でメイン液晶表示領域４４の下辺４４Ａにほぼ揃っている。
【００７０】
図９は、サブ液晶表示装置１８が収納位置に位置する状態における、センターユニット１９の正面図である。図１０は、サブ液晶表示装置１８が収納位置に位置する状態における、サブ液晶表示装置１８と進入防止部材４３との位置関係を説明するための側面図である。
【００７１】
サブ液晶表示装置１８が収納位置に位置する状態では、サブ液晶表示領域５４はメイン液晶表示領域４４の前方領域から下方に向けて退避し、サブ液晶表示領域５４の全域の前方が進入防止部材４３によって覆われる。すなわち、サブ液晶表示領域５４の全域が進入防止部材４３の後方に位置している。
【００７２】
このとき、サブ液晶表示装置１８は傾斜姿勢に保持されており、サブ液晶表示領域５４は、鉛直面に対し、上方に向かうに従って後方に向かうようにやや傾斜している。サブ液晶表示領域５４の全域の前方が進入防止部材４３によって覆われているのであるが、進入防止部材４３が透明部材によって構成されているので、サブ液晶表示領域５４の表示内容を、遊技者が視認できる。また、サブ液晶表示領域５４が鉛直面に対して傾斜しているので遊技者は、サブ液晶表示領域５４の演出画像を無理なく容易に視認することができる。
【００７３】
たとえば、通常の遊技中において、サブ液晶表示装置１８は収納位置に退避しており、メイン液晶表示装置１７のメイン液晶表示領域４４における演出図柄の変動動作と同期して、当該変動動作に対応する演出画像が、サブ液晶表示領域５４に表示される。
【００７４】
図１１は、サブ液晶表示装置１８が演出位置に位置する状態における、センターユニット１９の正面図である。図１２は、サブ液晶表示装置１８が演出位置に位置する状態における、サブ液晶表示装置１８と進入防止部材４３との位置関係を説明するための側面図である。
【００７５】
サブ液晶表示装置１８が演出位置に位置するときには、サブ液晶表示領域５４の略全域が進入防止部材４３の上方に位置している。そして、サブ液晶表示領域５４が、メイン液晶表示領域４４の下部（より詳しくは、メイン液晶表示領域４４の上下方向の下部でかつ左右方向の中央部）の前方領域に位置している。つまり、正面側から見て、サブ液晶表示領域５４はメイン液晶表示領域４４と重複している。なお、このとき、サブ液晶表示領域５４は鉛直姿勢をなしている。
【００７６】
サブ液晶表示装置１８が演出位置に位置する状態でサブ液晶表示領域５４に表示される演出画像は、サブ液晶表示装置１８が収納位置に位置するときと異なる。
【００７７】
たとえば、メイン液晶表示領域４４に表示される演出図柄がリーチ状態（メイン液晶表示領域４４内の２つの図柄表示位置４４Ｌ，４４Ｃ，４４Ｒ（図１Ｂ参照）に演出図柄が停止表示され、残り１つの図柄表示位置（たとえば図柄表示位置４４Ｃ）に演出図柄が停止表示されることによって大当たりかはずれかが判明する状態）になると、サブ液晶表示装置１８が収納位置（図９および図１０参照）から演出位置へと上昇する。
【００７８】
たとえば、サブ液晶表示装置１８が演出位置に位置する状態では、変動表示中の残り１つの演出図柄が、サブ液晶表示領域５４によって一時的に隠蔽される。そして、サブ液晶表示領域５４に、メイン液晶表示領域４４に表示される演出画像と同期して、その演出画像の一部と前後に重なるように演出画像を表示する。これにより、メイン液晶表示領域４４およびサブ液晶表示領域５４の表示画像の組合せにより一体感のある演出を実現でき、これにより、液晶表示領域４４，５４の表示画像による演出効果を向上させることができる。
【００７９】
以上により、この実施形態によれば、サブ液晶表示装置１８が演出位置に位置する状態では、サブ液晶表示領域５４の全域が進入防止部材４３から上方に露出する。一方、サブ液晶表示装置１８が収納位置に位置する状態では、サブ液晶表示領域５４の全域の前方が進入防止部材４３によって覆われる。すなわち、サブ液晶表示装置１８が収納位置に位置する場合および演出位置に位置する場合の双方において、正面視で、進入防止部材４３の上辺８２Ａがサブ液晶表示領域５４に重ならず、進入防止部材４３の上辺８２Ａがサブ液晶表示領域５４の視認の邪魔にならない。これにより、遊技領域Ｓから演出領域Ｐへの遊技玉の進入を防止する進入防止部材４３を設けつつ、当該進入防止部材４３による、サブ液晶表示装置１８の演出の阻害を防止できる弾球遊技機１を提供できる。
【００８０】
以上、この発明の一実施形態について説明したが、本発明は他の形態で実施することもできる。
【００８１】
前述の実施形態では、進入防止部材４３には庇部は設けていないが、たとえば、進入防止部材４３に、進入防止部材４３の上辺部から前側に向けて庇状に張り出す庇部を設ける構成であってもよい。この場合、演出領域Ｐへの遊技玉の進入を、より効果的に防止することができる。
【００８２】
また、進入防止部材４３を、枠部材４２の開口４１の下半分（一部分）の領域を覆うとして説明したが、開口４１の全部を覆うものでなければ、開口４１の他の領域を覆うようにしていてもよい。
【００８３】
また、前述の実施形態では、サブ液晶表示装置１８が収納位置および演出位置のそれぞれに位置する場合のサブ液晶表示領域５４の表示内容の一例について説明したが、サブ液晶表示装置１８が収納位置に位置する状態と演出位置に位置する状態とでサブ液晶表示領域５４の表示内容が異なっていれば、他の表示内容を採用してもよいのはいうまでもない。
【００８４】
また、サブ液晶表示装置１８が収納位置に位置する状態と演出位置に位置する状態とでサブ液晶表示領域５４の表示内容を同じにすることもできる。
【００８５】
また、メイン液晶表示装置１７とサブ液晶表示装置１８という２つの液晶表示装置を有する弾球遊技機を例に挙げて説明したが、上下方向に移動する可動式の液晶表示装置が１つ設けられているのみであり、その液晶表示装置の表示領域の前方に進入防止部材が配置される場合にも、本発明を適用することができる。
【００８６】
さらに、演出装置として、液晶表示装置に限られず、ギミック等の可動役物表示装置を採用することもでき、この場合にも、本発明を適用することができる。
【００８７】
その他、特許請求の範囲に記載された事項の範囲で種々の設計変更を施すことが可能である。
【符号の説明】
【００８８】
１    弾球遊技機
５    遊技盤
１７    メイン液晶表示装置
１８    サブ液晶表示装置
４１    開口
４２    装飾枠
４３    進入防止部材
４４    メイン液晶表示領域
４４Ａ  下辺
４７    ステージ
４８  ワープ通路
５１    玉取入口
５２    玉放出口
５４    サブ液晶表示領域（演出実行領域）
８２Ａ  上辺
Ｐ    演出領域
Ｓ    遊技領域
【図１Ａ】
0006008825.tif 000002
【図１Ｂ】
0006008825.tif 000003
【図２】
0006008825.tif 000004
【図３】
0006008825.tif 000005
【図４】
0006008825.tif 000006
【図５】
0006008825.tif 000007
【図６】
0006008825.tif 000008
【図７】
0006008825.tif 000009
【図８】
0006008825.tif 000010
【図９】
0006008825.tif 000011
【図１０】
0006008825.tif 000012
【図１１】
0006008825.tif 000013
【図１２】
0006008825.tif 000014